(57)【要約】【課題】本発明は、降雨時又は厳寒日に、車椅子での屋外移動の際使用するカバーである。通常は、その際、雨具を使用したり、防雨着又は防寒着を着用してであるが、着用には手間がかかり、防雨又は防寒が不十分である為、必要時に装着でき、乗用した状態で車椅子全体を足元まで覆い、防雨・防寒できるカバーを提供する。【手段】車椅子全体を覆う透明カバー全体（１）中央部に、カバーと縫着するようＵ字状に象った軸柱（７）と支柱（８）を設け、この両者の重なり合う左右の根元に主軸部（６）と、これを有する形で取り付け具（５）を設ける。主軸部（６）の作用で、軸柱（７）から支柱（８）を前方に傾倒する事でできうるカバーひさし部（２）より下部へ、支柱（８）より下がる前横部カバー（３）と、軸柱（７）より下がる後部（背部）カバー（４）の左右縁部に、両者を結合する後部（背部）ファスナー（１０）と、前横部左右に前横部ファスナー（９）を設け、背部に押し手抽出部（１１）と空気口（１２）を設ける。【選択図】図２
2006102436.tif 000002
【特許請求の範囲】
【請求項１】
車椅子全体を足元まで覆う透明カバー全体（１）の中央部分に、カバーと接着するようＵ字状に象った軸柱（７）と、同じくＵ字状に象った支柱（８）を設け、この軸柱（７）と支柱（８）のそれぞれが重なり合う左右根元に、軸柱（７）を固定させ、支柱（８）を車椅子前方へ傾倒させる作用をする主軸部（６）と、この主軸部（６）を有する形で、透明カバー全体（１）の車椅子への装着脱を可能とする取り付け具（５）を設けた車椅子用の着脱可能な防雨・防寒用カバー。
【請求項２】
車椅子全体を足元まで覆う透明カバー全体（１）が、主軸部（６）により、主軸を作用点にカバーと接着する軸柱（７）から、カバーと接着する支柱（８）を車椅子前方へ傾倒させることによりできうるカバーひさし部（２）を有し、このカバーひさし部（２）より下部へ、支柱（８）より下方へ下げ広がる車椅子前横部を覆う前横部カバー（３）と、軸柱（７）より下方へ下がる車椅子後部（背部）を覆う後部（背部）カバー（４）を有す請求項１記載の車椅子用の着脱可能な防雨・防寒用カバー。
【請求項３】
前横部カバー（３）の前部・横部の間左右２ヶ所に、それぞれを結合させる前横部ファスナー（９）を設け、又この前横部カバー（３）の左右縁部と、後部（背部）カバー（４）の左右縁部には、両カバーを結合させる後部（背部）ファスナー（１０）を設けた請求項１記載の車椅子用の着脱可能な防雨・防寒用カバー。
【請求項４】
後部（背部）カバー（４）に、空気口（１２）と、車椅子押し手（手押し部）をカバーより外側に出す押し手抽出部（１１）を設けた請求項１記載の車椅子用の着脱可能な防雨・防寒用カバー。
【発明の詳細な説明】
【発明の詳細な説明】
【技術分野】
【０００１】  この発明は、降雨時又は厳寒日に、車椅子での屋外移動の際使用するカバーであって、装着脱可能で、車椅子乗用車（使用者）が装着した状態で出入りでき、乗用した状態で車椅子全体を足元まで覆うことのできる車椅子用の防雨・防寒用カバーに関するものである。
【背景技術】
【０００２】  従来、降雨時又は厳寒日の車椅子での屋外移動には、傘等雨具を使用したり、防雨着又は防寒着を着用してのものである。
【発明が解決しようとする課題】
【０００３】  降雨時又は厳寒日、車椅子乗用者（使用車）が屋外移動する際、次のような問題があった。
降雨時は、傘等雨具では十分な防雨が難しく、防雨着を着用する場合も、車椅子乗用者（使用車）殆どが、足等身体に不自由がある場合が多く、着用に手間がかかり時間を要し、顔や足元等防雨も不十分であり、座席や手荷物等を濡らしてしまう事も多い。又、厳寒日の防寒着の着用も同様に時間を要し、外気を直接浴びる事も多い。
本発明は、以上の問題を解決し、必要時に装着でき、乗用車（使用者）が乗用する状態で車椅子全体を足元まで覆い、防雨・防寒できるようなされたものである。
【課題を解決する手段】
【０００４】  車椅子全体を足元まで覆う透明カバー全体（１）中央部分に、カバーと縫着する形でＵ字状に象った軸柱（７）と支柱（８）を設ける。軸柱（７）と支柱（８）が重なり合うそれぞれの左右根元に、軸柱（７）を固定し、支柱（８）の前方への傾倒を作用する主軸部（６）を設け、この主軸部（６）を有する形で、透明カバー全体（１）の車椅子への装着脱を可能とする取り付け具（５）を設ける。主軸部（６）により、主軸を作用点に軸柱（７）から支柱（８）を車椅子前方に傾倒することでできうるカバーひさし部（２）から下部へ、支柱（８）より下げ広げる車椅子前横部を覆う前横部カバー（３）の、前部・横部の間側面左右２ヶ所に前横部ファスナー（９）を設け、側面の左右縁部と、軸柱（７）より下げる車椅子後部（背部）を覆う後部（背部）カバー（４）側面の左右縁部に後部（背部）ファスナー（１０）を設ける。
又、後部（背部）カバー（４）の軸柱（７）枠内に、空気口（１２）と、左右の後部（背部）ファスナー（１０）の上部に、それぞれ車椅子の押し手抽出部（１１）を設ける。透明カバー全体（１）下部縁の周囲には、縁取り部（１３）を設ける。
本発明は、以上の構成よりなる車椅子用の着脱可能な防雨・防寒用カバーである。
【発明を実施するための最良の形態】
【０００５】  以下、本発明の実施の形態を説明する。
（イ）通水・通気せず透視性の素材でビニール等からなる透明カバー全体（１）中央部に、カバーと縫着するようＵ字状に象ったプラスチック等の素材からなる軸柱（７）と支柱（８）を設ける。
（ロ）軸柱（７）と支柱（８）が重なり合うそれぞれの左右根元に、軸柱（７）を固定させ、軸柱（７）から支柱（８）を車椅子前方へ傾倒させる作用をする主軸部（６）を設け、主軸部（６）を有する形で、透明カバー全体（１）を車椅子（１５）に装着脱させる取り付け具（５）を設ける。
（ハ）取り付け具（５）は、車椅子（１５）後部（背部）の左右骨柱上方部へ、この骨柱を挟み、ボルトとナット等により螺子式に圧握し固定するよう設け、内部に骨柱への摩擦力を増すようゴムシート（１４）を設ける。
（ニ）取り付け具（５）により、車椅子（１５）に装着された透明カバー全体（１）と縫着するよう設けられた、それぞれＵ字状に象った軸柱（７）と支柱（８）が、主軸部（６）により、主軸を作用点として軸柱（７）から支柱（８）を車椅子前方へ約９０度傾倒させることにより、車椅子乗用車の頭上を覆うようカバーひさし部（２）をつくり、このカバーひさし部（２）より下部へ、支柱（８）より下方へ、車椅子（１５）前横部を覆うよう前横部カバー（３）を下げ広げ、軸柱（７）より下方へ、車椅子（１５）後部（背部）を覆うよう後部（背部）カバー（４）を下げる。
（ホ）支柱（８）より下げ広げた前横部カバー（３）には、前部・横部の間側面左右２ヶ所に、それぞれを結合又は分離する前横部ファスナー（９）を設け、前横部カバー（３）の左右側面縁部と、軸柱（７）より下げた後部（背部）カバー（４）の左右側面縁部には、両カバーを結合又は分離する後部（背部）ファスナー（１０）を設ける。
（ヘ）軸柱（７）より下げた後部（背部）カバー（４）には、この後部（背部）カバー（４）の軸柱（７）枠内中央部に空気口（１２）を複数設け、同じく軸柱（７）枠内の軸柱（７）左右根元付近から、左右縁部に設けた後部（背部）ファスナー（１０）上端部へ縁取りが繋がるよう円形状に縁取りした、車椅子（１５）押し手（手押し部）をカバーの外側に出す押し手抽出部（１１）を設ける。
（ト）下方に下げ広げた透明カバー全体（１）の下部縁部周囲に、縁取り部（１３）を設け、この縁取り部（１３）の車椅子（１５）左右車輪との接触部には、二重の縁取を設ける。
本発明は以上の構成よりなる。
本発明を使用する場合は、使用の度に、透明カバー全体（１）を取り付け具（５）により車椅子（１５）に装着し、主軸部（６）の作用により、Ｕ字状に象られた軸柱（７）と支柱（８）で、乗用車の頭上を覆うようカバーひさし部（２）をつくり、そこからカバーを下方へ、支柱（８）と軸柱（７）より車椅子（１５）の前横部と後部（背部）に下げ広げ、前横部ファスナー（９）と後部（背部）ファスナー（１０）それぞれを結合し、車椅子全体を足元まで覆う。前横部ファスナー（９）と後部（背部）ファスナー（１０）により、透明カバー全体（１）を車椅子（１５）に装着脱し易くさせ、前横部ファスナー（９）により、透明カバー全体（１）を装着した状態で乗用車（使用者）が出入りできるようになされている。又、後部（背部）カバー（４）に設けた空気口（１２）で、乗用車（使用者）の酸素量を確保し、押し手抽出部（１１）で、装着した状態で引導者（車椅子を押す者）が車椅子を押せるようなされている。
【発明の効果】
【０００６】  本発明は使用する度に装着脱できるので、降雨時又は厳寒日の車椅子での屋外移動の際に装着し、乗用車（使用者）が乗用する状態で車椅子全体を足元まで覆い、十分に防雨し、防寒力を増すことができる。
【図面の簡単な説明】
【図１】    本発明の前方からの斜視図
【図２】    本発明の後方からの斜視図
【図３】    本発明の後方からの正面図
【図４】    本発明の真横からの正面図
【図５】    本発明の要部拡大の斜視図
【図６】    本発明の要部拡大の斜視図
【図７】    本発明の要部拡大の真横からの正面図
【図８】    本発明の要部拡大の前方からの正面図
【符号の説明】
（１）透明カバー全体、（２）カバーひさし部、（３）前横部カバー、（４）後部（背部）カバー、（５）取り付け具、（６）主軸部、（７）軸柱、（８）支柱、（９）前横部ファスナー、（１０）後部（背部）ファスナー、（１１）押し手抽出部、（１２）空気口、（１３）縁取り部、（１４）ゴムシート、（１５）（車椅子）
【図１】
2006102436.tif 000003
【図２】
2006102436.tif 000004
【図３】
2006102436.tif 000005
【図４】
2006102436.tif 000006
【図５】
2006102436.tif 000007
【図６】
2006102436.tif 000008
【図７】
2006102436.tif 000009
【図８】
2006102436.tif 000010